【手続補正書】
【提出日】令和1年11月28日(2019.11.28)
【手続補正１】
【補正対象書類名】特許請求の範囲
【補正対象項目名】全文
【補正方法】変更
【補正の内容】
【特許請求の範囲】
【請求項１】
モバイルネットワークプロバイダによる運営のための１つまたは複数のハードウェアプロセッサによって実行可能なＰＤＮ統合カスタマイズドネットワークエッジイネーブラアンドコントローラ（ＰＩＣＮＥＥＣ）であって、
メモリと、
少なくとも１つの仮想カスタマイズドルールエンフォーサ（ＶＣＲＥ）インスタンスを備え、
各ＶＣＲＥインスタンスは、一群のモバイルデバイスに対応し、且つ前記一群のモバイルデバイスに個別に合わせた一組のポリシーを定義し、
各ＶＣＲＥインスタンスは、パケットベースのネットワークと、対応する一群内のモバイルデバイスとの間でセルラーベースネットワークである無線ネットワークを介して通信されるデータパケットを受信すると、前記データパケットを転送する前に、前記ＶＣＲＥインスタンスに記憶された１つ又は複数のポリシールールを前記データパケットに対して実行するように構成され、
各ＶＣＲＥインスタンスは、前記モバイルネットワークプロバイダの異なる顧客による前記ＶＣＲＥインスタンスの直接アクセスを介して互いから独立して制御され、
前記１つ又は複数のポリシールールは、前記ＶＣＲＥインスタンスと外部ネットワークとの間の仮想私設ネットワーク（ＶＰＮ）を設定するために使用されるルールを含む、ＰＩＣＮＥＥＣ。
【請求項２】
前記データパケットは、サービング一般パケット無線サービス（ＧＰＲＳ）サポートノード／サービング（ＳＧＳＮ）と、前記ＰＩＣＮＥＥＣ内部のゲートウェイＧＰＲＳサポートノード（ＧＧＳＮ）との間でルーティングされる、請求項１に記載のＰＩＣＮＥＥＣ。
【請求項３】
前記データパケットは、サービングゲートウェイ（ＳＧＷ）と、前記ＰＩＣＮＥＥＣ内部のパケットデータネットワークゲートウェイ（ＰＧＷ）との間でルーティングされる、請求項１に記載のＰＩＣＮＥＥＣ。
【請求項４】
前記データパケットは、サービング一般パケット無線サービス（ＧＰＲＳ）サポートノード／サービング（ＳＧＳＮ）と、前記ＰＩＣＮＥＥＣ外部のゲートウェイＧＰＲＳサポートノード（ＧＧＳＮ）との間でルーティングされ、前記外部ＧＧＳＮは、前記ＰＩＣＮＥＥＣを通したインターネットプロトコル（ＩＰ）接続アクセスネットワークのデータを処理する、請求項１に記載のＰＩＣＮＥＥＣ。
【請求項５】
前記データパケットは、サービングゲートウェイ（ＳＧＷ）と、前記ＰＩＣＮＥＥＣ外部のＰＧＷとの間でルーティングされ、前記外部ＰＧＷは、前記ＰＩＣＮＥＥＣを通してＩＰ接続アクセスネットワークのデータを処理する、請求項１に記載のＰＩＣＮＥＥＣ。
【請求項６】
前記データパケットは、前記ＰＩＣＮＥＥＣを通して前記データパケットを処理するモバイルネットワークサービングパケットゲートウェイを通してルーティングされる、請求項１に記載のＰＩＣＮＥＥＣ。
【請求項７】
少なくとも１つのＶＣＲＥインスタンスは、カスタマイズドアクセスポイント名（ＡＰＮ）を定義する、請求項１に記載のＰＩＣＮＥＥＣ。
【請求項８】
少なくとも１つのＶＣＲＥインスタンスは、独立した仮想ネットワーク機能である、請求項１に記載のＰＩＣＮＥＥＣ。
【請求項９】
少なくとも１つのＶＣＲＥインスタンスは、独立した物理的ネットワーク機能である、請求項１に記載のＰＩＣＮＥＥＣ。
【請求項１０】
少なくとも１つのＶＣＲＥインスタンスは、より大きいネットワーク機能における複数のルールのうちの一部分であり、顧客は、前記複数のルールの特定部分のみにアクセスすることができる、請求項１に記載のＰＩＣＮＥＥＣ。
【請求項１１】
少なくとも１つのＶＣＲＥインスタンスは、ＶＣＲＥルール機能（ＲＣＦ）コンソールを使用して顧客によって作成される、請求項１に記載のＰＩＣＮＥＥＣ。
【請求項１２】
前記ＲＣＦコンソールは、セキュアシェル（ＳＳＨ）アクセスである、請求項１０に記載のＰＩＣＮＥＥＣ。
【請求項１３】
少なくとも１つのＶＣＲＥインスタンスは、ＶＣＲＥルール機能（ＲＣＦ）アプリケーションを使用して顧客によって作成される、請求項１に記載のＰＩＣＮＥＥＣ。
【請求項１４】
前記ＲＣＦアプリケーションは、アプリケーションプログラムインターフェース（ＡＰＩ）である、請求項１３に記載のＰＩＣＮＥＥＣ。
【請求項１５】
前記ＲＣＦアプリケーションは、ウェブサイトである、請求項１３に記載のＰＩＣＮＥＥＣ。
【請求項１６】
前記ＲＣＦアプリケーションは、専用コンピュータプログラムである、請求項１３に記載のＰＩＣＮＥＥＣ。
【請求項１７】
前記ＲＣＦコンソールは、少なくとも１つのＶＣＲＥインスタンスを直接管理する、請求項１１に記載のＰＩＣＮＥＥＣ。
【請求項１８】
前記ＲＣＦアプリケーションは、少なくとも１つのＶＣＲＥインスタンスを直接管理する、請求項１３に記載のＰＩＣＮＥＥＣ。
【請求項１９】
前記ＲＣＦコンソールは、前記ＶＣＲＥインスタンスの少なくとも１つを管理する中央ＲＣＦに接続する、請求項１１に記載のＰＩＣＮＥＥＣ。
【請求項２０】
前記ＲＣＦアプリケーションは、前記ＶＣＲＥインスタンスの少なくとも１つを管理する中央ＲＣＦに接続する、請求項１３に記載のＰＩＣＮＥＥＣ。
【請求項２１】
顧客は、前記対応するＶＣＲＥインスタンスと外部ネットワークとの間に仮想私設ネットワーク（ＶＰＮ）を定義することにより、対応するＶＣＲＥインスタンスを定義する、請求項１に記載のＰＩＣＮＥＥＣ。
【請求項２２】
顧客は、前記対応するＶＣＲＥインスタンスとＩＰ接続ネットワークとの間にネットワークルーティングを定義することにより、前記対応するＶＣＲＥインスタンスを定義する、請求項１に記載のＰＩＣＮＥＥＣ。
【請求項２３】
顧客は、前記対応するＶＣＲＥインスタンスを通るパケットデータトラフィックのためのファイアウォールルールを定義することにより、前記対応するＶＣＲＥインスタンスを定義する、請求項１に記載のＰＩＣＮＥＥＣ。
【請求項２４】
顧客は、前記対応するＶＣＲＥインスタンスを通るパケットデータトラフィックのためのネットワークアドレス変換（ＮＡＴ）ルールを定義することにより、前記対応するＶＣＲＥインスタンスを定義する、請求項１に記載のＰＩＣＮＥＥＣ。
【請求項２５】
顧客は、前記対応するＶＣＲＥインスタンスを通るパケットデータトラフィックのためのドメイン名システム（ＤＮＳ）設定を定義することにより、前記対応するＶＣＲＥインスタンスを定義する、請求項１に記載のＰＩＣＮＥＥＣ。
【請求項２６】
顧客は、前記対応するＶＣＲＥインスタンスを通るパケットデータトラフィックのためのセキュリティルールを定義することにより、前記対応するＶＣＲＥインスタンスを定義する、請求項１に記載のＰＩＣＮＥＥＣ。
【請求項２７】
顧客は、ＩＰアドレスをモバイルデバイスに割り当てることにより、前記対応するＶＣＲＥインスタンスを定義する、請求項１に記載のＰＩＣＮＥＥＣ。
【請求項２８】
顧客は、前記対応するＶＣＲＥインスタンスを通るトラフィックのためのハイパーテキスト転送プロトコルヘッダエンリッチメント（ＨＨＥ）ルールを定義することにより、前記対応するＶＣＲＥインスタンスを定義する、請求項１に記載のＰＩＣＮＥＥＣ。
【請求項２９】
方法であって、
１つまたは複数のハードウェアプロセッサによって実行可能なＰＩＣＮＥＥＣにおいて、セルラーベースネットワークである無線ネットワークを介してモバイルデバイスとパケットベースのネットワークとの間で送信されるデータパケットを受信すること、
前記データパケット内の情報に基づいて、前記モバイルデバイスに割り当てられたＶＣＲＥインスタンスを特定することであって、前記ＶＣＲＥインスタンスは、前記ＰＩＣＮＥＥＣを運営するモバイルネットワークプロバイダの顧客による前記ＶＣＲＥインスタンスの直接アクセスを介して、前記ＰＩＣＮＥＥＣにおける他のＶＣＲＥインスタンスから独立して制御される、前記特定すること、
前記ＶＣＲＥインスタンスにおいて定義される１つ又は複数のポリシールールを前記データパケットに対して実行することであって、前記１つ又は複数のポリシールールは、前記ＶＣＲＥインスタンスとインターネットプロトコル（ＩＰ）接続ネットワークとの間のルーティングのためのルーティングテーブルを管理するルールと、前記ＶＣＲＥインスタンスと外部ネットワークとの間に仮想私設ネットワーク（ＶＰＮ）を設定するために使用されるルールと、を含む、前記実行すること、
前記ルーティングテーブルに基づいて前記データパケットをルーティングすること、を備える方法。
【請求項３０】
前記データパケットは、サービング一般パケット無線サービス（ＧＰＲＳ）サポートノード／サービング（ＳＧＳＮ）と、前記ＰＩＣＮＥＥＣ内部のゲートウェイＧＰＲＳサポートノード（ＧＧＳＮ）との間でルーティングされる、請求項２９に記載の方法。
【請求項３１】
前記データパケットは、サービングゲートウェイ（ＳＧＷ）と、前記ＰＩＣＮＥＥＣ内部のＰＧＷとの間でルーティングされる、請求項２９に記載の方法。
【請求項３２】
前記データパケットは、サービング一般パケット無線サービス（ＧＰＲＳ）サポートノード／サービング（ＳＧＳＮ）と、前記ＰＩＣＮＥＥＣ外部のゲートウェイＧＰＲＳサポートノード（ＧＧＳＮ）との間でルーティングされ、前記外部ＧＧＳＮは、前記ＰＩＣＮＥＥＣを通したインターネットプロトコル（ＩＰ）接続アクセスネットワークのデータを処理する、請求項２９に記載の方法。
【請求項３３】
前記データパケットは、サービングゲートウェイ（ＳＧＷ）と、前記ＰＩＣＮＥＥＣ外部のＰＧＷとの間でルーティングされ、前記外部ＰＧＷは、前記ＰＩＣＮＥＥＣを通してＩＰ接続アクセスネットワークのデータを処理する、請求項２９に記載の方法。
【請求項３４】
前記データパケットは、前記ＰＩＣＮＥＥＣを通して前記データパケットを処理するモバイルネットワークサービングパケットゲートウェイを通してルーティングされる、請求項２９に記載の方法。
【請求項３５】
モバイルネットワークプロバイダによる運営のための１つまたは複数のハードウェアプロセッサによって実行可能なＰＤＮ統合カスタマイズドネットワークエッジイネーブラアンドコントローラ（ＰＩＣＮＥＥＣ）であって、
少なくとも１つの仮想カスタマイズドルールエンフォーサ（ＶＣＲＥ）インスタンスを含み、
各ＶＣＲＥインスタンスは、一群のモバイルデバイスに対応し、且つ前記一群のモバイルデバイスに個別に合わされた一組のポリシーを定義し、
各ＶＣＲＥインスタンスは、パケットベースのネットワークと、対応する一群内のモバイルデバイスとの間でセルラーベースネットワークである無線ネットワークを介して通信されるデータパケットを受信すると、前記データパケットを転送する前に、前記ＶＣＲＥインスタンスに記憶された１つ又は複数のポリシールールを前記データパケットに対して実行するように構成され、
各ＶＣＲＥインスタンスは、前記モバイルネットワークプロバイダの異なる顧客による前記ＶＣＲＥインスタンスの直接アクセスを介して互いから独立して制御され、
前記ＰＩＣＮＥＥＣは、３Ｇ／４Ｇネットワーク及び低電力広域ネットワーク（ＬＰＷＡＮ）に同時に接続され、
前記１つ又は複数のポリシールールは、前記ＶＣＲＥインスタンスと外部ネットワークとの間の仮想私設ネットワーク（ＶＰＮ）を設定するために使用されるルールを含む、ＰＤＮ統合カスタマイズドネットワークエッジイネーブラアンドコントローラ（ＰＩＣＮＥＥＣ）。